(57)【要約】      （修正有）【課題】認証が成功した場合のセキュリティの利便性を向上させることが可能なインターホンシステムを提供する。【解決手段】インターホンシステム１は、施設の出入口に設置され、来訪者を撮影するカメラを備えた玄関子機２と、施設内に位置し、玄関子機と通信可能に構成された複数の居室親機３−Ａ、３−Ｂ、通知モニター６および複数の情報端末７−Ａ、７−Ｂと、玄関子機および複数の通知装置と通信可能に構成され、玄関子機のカメラにて撮影された来訪者の映像データの認証を行う管理用制御装置５と、を備える。管理用制御装置は、施設利用者に関連する来訪者情報を記憶する記憶部を有し、記憶部に記憶された来訪者情報に基づいて映像データの認証を行い、認証が成功した場合には、複数の通知装置のうち来訪者に関連する施設利用者に関連付けられた通知装置にのみ認証結果を通知する。【選択図】図１
2019186697.tif 000002
【特許請求の範囲】
【請求項１】
施設の出入口に設置され、来訪者を撮影するカメラを備えた子機と、
施設内に位置し、前記子機と通信可能に構成された複数の通知装置と、
前記子機および前記複数の通知装置と通信可能に構成され、前記子機のカメラにて撮影された来訪者の映像データの認証を行う認証装置と、を備え、
前記認証装置は、施設利用者に関連する来訪者情報を記憶する記憶部を有し、前記記憶部に記憶された前記来訪者情報に基づいて前記映像データの認証を行い、前記認証が成功した場合には、前記複数の通知装置のうち前記来訪者に関連する施設利用者に関連付けられた通知装置にのみ認証結果を通知する、インターホンシステム。
【請求項２】
前記認証装置は、前記記憶部に、前記施設利用者が通常利用する場所の情報および/または前記施設利用者のリアルタイムの位置情報を含む施設利用者情報と、前記複数の通知装置の位置情報を含む通知装置情報と、をさらに記憶し、
前記認証装置は、前記認証が成功した場合には、前記施設利用者情報および前記通知装置情報に基づいて、前記施設利用者が通常利用する場所に位置する通知装置および/または前記施設利用者のリアルタイムの位置の近傍に位置する通知装置にのみ認証結果を通知する、請求項１に記載のインターホンシステム。
【請求項３】
前記認証は、顔認証、虹彩認証、または、指静脈パターン認証であり、
前記来訪者情報は、来訪者の顔データ、虹彩データ、または、指静脈パターンデータを含む、請求項１または２に記載のインターホンシステム。
【請求項４】
前記施設の出入口に設置された電気錠をさらに備え、
前記認証装置は、前記認証が成功した場合には、電気錠の解錠制御を行う、請求項１から３のいずれかに記載のインターホンシステム。
【請求項５】
車両ナンバープレートを撮影するカメラをさらに備え、
前記来訪者情報は、前記来訪者が使用する車両ナンバーデータを含み、
前記認証装置は、前記車両ナンバーデータに基づいて前記車両ナンバープレートの映像データの認証を行い、前記認証が成功した場合には、前記来訪者に関連する施設利用者に関連付けられた通知装置にのみ認証結果を通知する、請求項１から４のいずれかに記載のインターホンシステム。
【請求項６】
前記通知装置は、前記施設内に設置された親機、モニター若しくはスピーカー、又は、前記施設内に居る施設内職員の情報端末である、請求項１から５のいずれかに記載のインターホンシステム。
【発明の詳細な説明】
【技術分野】
【０００１】
本発明は、インターホンシステムに関するものである。
【背景技術】
【０００２】
老人ホームまたは介護施設等の施設に備えられているインターホンシステムでは、セキュリティの強化等の理由から、施設の出入口（玄関）の外側に設置される玄関子機のカメラで来訪者を撮影する場合がある。そのシステムでは、撮影した映像データと登録済みの顔データとを管理用制御装置で照合して来訪者の顔認証を行い、施設内に設置された居室親機に顔認証結果を通知し、居室親機で顔認証の結果に応じた所定の呼出音やアラームを発生することができる。施設内職員は、この所定の呼出音に基づいて居室親機のモニターに表示される来訪者の映像データを確認し、居室親機を操作して玄関のドアに取り付けられている電気錠を解錠する。
【０００３】
このようなインターホンシステムでは、さらに、セキュリティの利便性の向上等の理由から、顔認証が成功した場合には、玄関のドアに取り付けられている電気錠を自動に解錠すると共に、顔認証結果を居室親機に通知するものが提案されている。
【先行技術文献】
【特許文献】
【０００４】
【特許文献１】特開２０１０−７４４５８号公報
【発明の概要】
【発明が解決しようとする課題】
【０００５】
しかしながら、このようなインターホンシステムでは、居室親機は、施設内に複数配置される場合がある。しかしその場合には、顔認証結果の通知は、全ての居室親機に対して行われることになるため、依然としてセキュリティの利便性に改善の余地があった。
【０００６】
そこで、本発明は、認証が成功した場合のセキュリティの利便性を向上させることが可能なインターホンシステムを提供する。
【課題を解決するための手段】
【０００７】
上記目的を達成するために、本発明のインターホンシステムは、
施設の出入口に設置され、来訪者を撮影するカメラを備えた子機と、
施設内に位置し、前記子機と通信可能に構成された複数の通知装置と、
前記子機および前記複数の通知装置と通信可能に構成され、前記子機のカメラにて撮影された来訪者の映像データの認証を行う認証装置と、を備え、
前記認証装置は、施設利用者に関連する来訪者情報を記憶する記憶部を有し、前記記憶部に記憶された前記来訪者情報に基づいて前記映像データの認証を行い、前記認証が成功した場合には、前記複数の通知装置のうち前記来訪者に関連する施設利用者に関連付けられた通知装置にのみ認証結果を通知する、インターホンシステム。
【０００８】
上記構成によれば、施設内職員は、来訪者に関連する施設利用者に関連付けられた通知装置にて認証結果を確認する。このため、全ての通知装置に認証結果が通知されて何れかの施設内職員が何れかの通知装置において認証結果を確認する場合と比べて、来訪者に関連した適切な通知装置により認証結果を確認して対応することができるので、セキュリティの利便性が向上する。
【０００９】
また、本発明のインターホンシステムにおいて、
前記認証装置は、前記記憶部に、前記施設利用者が通常利用する場所の情報および/または前記施設利用者のリアルタイムの位置情報を含む施設利用者情報と、前記複数の通知装置の位置情報を含む通知装置情報と、をさらに記憶し、
前記認証装置は、前記認証が成功した場合には、前記施設利用者情報および前記通知装置情報に基づいて、前記施設利用者が通常利用する場所に位置する通知装置および/または前記施設利用者のリアルタイムの位置の近傍に位置する通知装置にのみ認証結果を通知する。
【００１０】
上記構成によれば、施設利用者が通常利用する場所を予め登録する、又は、施設利用者の位置を所定時間毎若しくは移動するたびに登録しておき、登録した場所に位置する又は登録した位置の近傍に位置する通知装置に対してのみ認証結果の通知を行う。このため、施設内職員は、来訪者に関連する施設利用者がいる場所で認証結果を確認することができ、来訪者に対して迅速な対応を行うことができる。
【００１１】
また、本発明のインターホンシステムにおいて、
前記認証は、顔認証、虹彩認証、または、指静脈パターン認証であり、
前記来訪者情報は、来訪者の顔データ、虹彩データ、または、指静脈パターンデータを含む。
【００１２】
上記構成によれば、顔認証、虹彩認証、または、指静脈パターン認証のうち、施設に適した認証システムを用いることができる。
【００１３】
また、本発明のインターホンシステムにおいて、
前記施設の出入口に設置された電気錠をさらに備え、
前記認証装置は、前記認証が成功した場合には、電気錠の解錠制御を行う。
【００１４】
上記構成によれば、認証が成功した場合には電気錠が自動に解錠されるため、施設内職員は電気錠の解錠動作を行う必要がなく、セキュリティの利便性が向上する。
【００１５】
また、本発明のインターホンシステムにおいて、
車両ナンバープレートを撮影するカメラをさらに備え、
前記来訪者情報は、前記来訪者が使用する車両ナンバーデータを含み、
前記認証装置は、前記車両ナンバーデータに基づいて前記車両ナンバープレートの映像データの認証を行い、前記認証が成功した場合には、前記来訪者に関連する施設利用者に関連付けられた通知装置にのみ認証結果を通知する。
【００１６】
上記構成によれば、来訪者が車両を駐車する時点で認証を行うことができるため、施設内職員は、より早く来訪者の存在を把握することができる。
【００１７】
また、本発明のインターホンシステムにおいて、
前記通知装置は、前記施設内に設置された親機、モニター若しくはスピーカー、又は、前記施設内に居る施設内職員の情報端末である。
【００１８】
上記構成によれば、施設内職員は、施設内にすでに設置されている機器（親機、モニター若しくはスピーカー）や、所持している情報端末を利用して、認証の通知を受け取ることができるため、新たな設備の追加やそれによる費用の増加を防ぐことができる。
【発明の効果】
【００１９】
本発明のインターホンシステムによれば、認証が成功した場合のセキュリティの利便性を向上させることができる。
【図面の簡単な説明】
【００２０】
【図１】本発明の第１実施形態に係るインターホンシステムの概略構成図である。
【図２】図１のインターホンシステムが備える玄関子機の機能ブロック図である。
【図３】図１のインターホンシステムが備える居室親機の機能ブロック図である。
【図４】図１のインターホンシステムが備える電気錠の機能ブロック図である。
【図５】図１のインターホンシステムが備える管理用制御装置の機能ブロック図である。
【図６】図５の管理用制御装置の来訪者情報テーブルの一例である。
【図７】図５の管理用制御装置の施設利用者情報テーブルの一例である。
【図８】図５の管理用制御装置の通知装置情報テーブルの一例である。
【図９】図１のインターホンシステムの動作の一例を示すフローチャートである。
【図１０】本発明の第２実施形態に係るインターホンシステムの概略構成図である。
【図１１】図１０のインターホンシステムの管理用制御装置の来訪者情報テーブルの一例である。
【図１２】図１０のインターホンシステムの管理用制御装置の施設利用者情報テーブルの一例である。
【発明を実施するための形態】
【００２１】
以下、本実施形態について、添付の図面を参照して説明する。
図１は、第１実施形態に係るインターホンシステム１の構成を示す図である。
インターホンシステム１は、施設（例えば、老人ホームまたは介護施設）に設置されている。施設は、施設建物内に、施設利用者が共通に利用する部屋（例えば、浴室、食堂、レクリエーションルーム）や施設利用者が個別に利用する部屋（例えば、個室）などの各部屋、施設内職員が使用するスタッフルームや管理室など、を備えている。また、施設建物外に、施設内職員専用の駐車場や来訪者が利用可能な駐車場などの駐車場を備えている。
【００２２】
図１に示すように、インターホンシステム１は、玄関子機２と、複数の居室親機３−Ａ、３−Ｂ(通知装置の一例）と、電気錠４と、管理用制御装置５（認証装置の一例）と、通知モニター６(通知装置の一例）と、複数の情報端末７−Ａ、７−Ｂ(通知装置の一例）とを備えている。
【００２３】
玄関子機２は、例えば、施設建物の出入口（玄関）の外壁面等に設置され、来訪者が居住者（例えば、施設内職員）を呼び出して通話するためなどに用いられる。なお、施設建物の出入口が複数ある場合には、複数の玄関子機がそれぞれ各出入り口に設置されてもよい。複数の居室親機３−Ａ、３−Ｂ（以下、居室親機３と称する）は、例えば、施設利用者が共通に利用する部屋Ａ、Ｂにそれぞれ設けられ、玄関子機２からの来訪者による呼び出しに対して応答するために用いられる。電気錠４は、施設建物の出入口（玄関）の扉に設置され、扉を施錠・解錠するために用いられる。
【００２４】
管理用制御装置５は、例えば、施設建物内の管理室や施設利用者が共通に利用する部屋に設置されている。管理用制御装置５は、玄関子機２のカメラ２６（図２参照）により撮影された映像（静止画または動画）データに対して認証を行うために用いられるものであり、例えば、パーソナルコンピュータが使用される。
【００２５】
通知モニター６は、例えば、管理用制御装置５に接続され、管理用制御装置５のサブモニターとして認証結果等を表示するために用いられる。通知モニター６は、例えば、液晶ディスプレイ、有機ＥＬディスプレイ等のタッチスクリーン型のディスプレイの表示部を有し、画像（来訪者映像や操作画像等）を表示する。なお、管理用制御装置５の表示部５６（図５参照）に認証結果を表示する場合や、管理用制御装置５の近傍に他の通知装置（例えば、居室親機３等）が配置されている場合には、通知モニター６は設けなくてもよい。
【００２６】
複数の情報端末７−Ａ、７−Ｂ（以下、情報端末７と称する）は、例えば、施設内職員にそれぞれ所持され、玄関子機２からの呼び出しに対して応答するためなどに用いられる。情報端末７は、例えば、施設内職員が所有するスマートフォン、タブレットコンピュータ、およびその他の携帯情報端末を含み、タッチスクリーン型のディスプレイの表示部に画像（来訪者映像や操作画像等）を表示する。また、情報端末７は、マイクおよびスピーカー、位置情報取得のためにＧＰＳを備えている。
【００２７】
玄関子機２、電気錠４、管理用制御装置５および複数の居室親機３は、信号線Ｌを介してそれぞれ互いに通信可能に接続されている。例えば、これらは、汎用プロトコルに従って通信が行われるネットワーク（本例では、ＬＡＮ：Local Area Network）用のケーブルを介して接続されている。なお、これらは、無線通信により通信可能に接続されてもよい。複数の情報端末７は、無線通信により管理用制御装置５に通信可能に接続されている。なお、複数の情報端末７は、近くにある居室親機３に無線通信により通信可能に接続されてもよい。無線通信手段としては、具体的には、ＷｉＦｉ、無線ローカルエリアネットワーク（ＬＡＮ）、ラジオ、セルラー、インターネット、Ｂｌｕｅｔｏｏｔｈ（登録商標）、電磁波、赤外線光、音波、およびマイクロ波等のネットワーク通信手段が含まれる。
【００２８】
図２は、玄関子機２の構成を示す機能ブロック図である。
図２に示すように、玄関子機２は、制御部２１と、操作部（呼出ボタン）２２と、マイク２３と、スピーカー２４と、人感センサ２５と、カメラ２６と、インターフェース回路２７（以下、インターフェース回路を「Ｉ／Ｆ回路」と称す）とを備えている。
【００２９】
制御部２１は、玄関子機２の各部の動作を制御する。制御部２１は、例えば、１以上のプロセッサと１以上のメモリを含む少なくとも一つのマイクロコントローラと、トランジスタ等のアクティブ素子およびパッシブ素子を含むその他電子回路から構成されている。また、制御部２１は、集積回路（ハードウェア資源）によって構成されてもよく、少なくとも一つのマイクロコントローラと集積回路との組み合わせによって構成されてもよい。
【００３０】
操作部２２は、居住者（例えば施設内職員）の呼出操作を行う際に来訪者によって操作される。マイク２３およびスピーカー２４は、来訪者が居住者との間で通話する際に音声入出力を行う。人感センサ２５は、玄関子機２の前方にいる人物を感知するセンサであり、例えば赤外線センサで構成されている。カメラ２６は、人感センサ２５で感知された人物（例えば、来訪者）や操作部２２を介して呼出操作を行う来訪者を撮影する。操作部２２、マイク２３、スピーカー２４、人感センサ２５およびカメラ２６は、制御部２１に接続されている。
【００３１】
制御部２１には、操作部２２が操作されると操作部２２から入力信号が送信され、人感センサ２５で人物が感知されると人感センサ２５から入力信号が送信される。また、制御部２１には、マイク２３からの音声データ及びカメラ２６からの映像データが送信される。また、制御部２１は、スピーカー２４へ音声データを出力する。制御部２１には、Ｉ／Ｆ回路２７が接続されており、制御部２１は、Ｉ／Ｆ回路２７を介して管理用制御装置５や複数の居室親機３との間でデータ（例えば、音声データや映像データ）の送受信を行う。
【００３２】
図３は、居室親機３の構成を示す機能ブロック図である。
図３に示すように、各居室親機３は、制御部３１と、操作部（応答ボタン）３２と、マイク３３と、スピーカー３４と、表示部３５、Ｉ／Ｆ回路３６とを備えている。
【００３３】
制御部３１は、居室親機３の各部の動作を制御する。制御部３１は、例えば、１以上のプロセッサと１以上のメモリを含む少なくとも一つのマイクロコントローラと、トランジスタ等のアクティブ素子およびパッシブ素子を含むその他電子回路から構成されている。また、制御部３１は、集積回路（ハードウェア資源）によって構成されてもよく、少なくとも一つのマイクロコントローラと集積回路との組み合わせによって構成されてもよい。
【００３４】
操作部３２は、玄関子機２からの呼び出しに対して応答操作（例えば、来訪者との通話や電気錠４の解錠）を行う際に居住者によって操作される。マイク３３およびスピーカー３４は、居住者が来訪者との間で通話する際に音声入出力を行う。表示部３５は、玄関子機２が備えるカメラ２６で撮影された来訪者等の映像（静止画または動画）を表示する。
【００３５】
制御部３１には、操作部３２が操作されると操作部３３から入力信号が送信され、また、マイク３３からの音声データが送信される。また、制御部３１は、スピーカー３４へ音声データを出力し、表示部３５へ映像データを出力する。制御部３１には、Ｉ／Ｆ回路３６が接続されており、制御部３１は、Ｉ／Ｆ回路３６を介して管理用制御装置５や玄関子機２との間でデータ（例えば、音声データや映像データ）の送受信を行う。
【００３６】
図４は、電気錠４の構成を示す機能ブロック図である。
図４に示すように、電気錠４は、制御部４１と、駆動部４２と、Ｉ／Ｆ回路４３とを備えている。
【００３７】
制御部４１は、電気錠４の各部の動作を制御する。制御部４１は、例えば、１以上のプロセッサと１以上のメモリを含む少なくとも一つのマイクロコントローラと、トランジスタ等のアクティブ素子およびパッシブ素子を含むその他電子回路から構成されている。駆動部４２は、錠を駆動する。
【００３８】
制御部４１には、Ｉ／Ｆ回路４３が接続されており、制御部４１は、Ｉ／Ｆ回路４３を介して管理用制御装置５や居室親機３から信号（例えば、解錠信号）を受信する。制御部４１は、駆動部４２へ駆動信号を出力し、駆動部４２は、錠を駆動して錠の解錠を行う。
【００３９】
図５は、管理用制御装置５の構成を示す機能ブロック図である。
図５に示すように、管理用制御装置５は、制御部５１と、記憶部５２と、画像処理部５３と、表示部５４と、Ｉ／Ｆ回路５５とを備えている。
【００４０】
制御部５１は、管理用制御装置５の各部の動作を制御する。制御部５１は、例えば、１以上のプロセッサと１以上のメモリを含む少なくとも一つのマイクロコントローラと、トランジスタ等のアクティブ素子およびパッシブ素子を含むその他電子回路から構成されている。また、制御部５１は、集積回路（ハードウェア資源）によって構成されてもよく、少なくとも一つのマイクロコントローラと集積回路との組み合わせによって構成されてもよい。
【００４１】
記憶部５２は、例えば、ＲＯＭとＲＡＭを含むメモリから構成されている。記憶部５２には、認証用の来訪者情報が登録されている。例えば、記憶部５２は、図５および図６に示すように、来訪者情報テーブル５６を有している。来訪者情報テーブル５６には、例えば、来訪者情報として、来訪者氏名、関連する施設利用者氏名、施設利用者との関係性、および、認証用情報（例えば、顔認証用として顔画像情報）が登録されている。なお、来訪者情報は、例えば、管理用制御装置５の入力装置（図示なし）または居室親機３や情報端末７を介して、施設内職員により、施設利用者の状況に応じて追加や削除されてもよい。
【００４２】
また、記憶部５２には、施設利用者情報が登録されている。例えば、記憶部５２は、図５および図７に示すように、施設利用者情報テーブル５７を有している。施設利用者情報テーブル５７には、例えば、施設利用者氏名、施設利用者が通常利用する場所、および、施設利用者の現在の位置の情報が登録されている。なお、施設利用者情報は、管理用制御装置５の入力装置または居室親機３や情報端末７を介して、施設内職員により、施設利用者の状況に応じて追加や削除されてもよい。また、施設利用者の現在の位置の情報は、例えば、施設内職員が居室親機３や情報端末７を用いて施設利用者の現在の位置を所定時間ごとに又は施設利用者が移動するごとに更新・登録される。あるいは、各施設利用者がセキュリティカード等を有し、移動した部屋に設置されたカードリーダ等で読み取り動作を行うことにより移動した先の場所が現在の位置として更新・登録されてもよい。
【００４３】
また、記憶部５２は、通知装置情報が登録されている。例えば、記憶部５２は、図５および図８に示すように、通知装置情報テーブル５８を有している。通知装置情報テーブル５８には、例えば、通知装置の名前、および、設置場所の情報が登録されている。なお、通知装置情報は、通知装置の設置時や通知装置の移動時に登録・更新されてもよい。通知装置が情報端末７の場合には、例えば、制御部５１は、情報端末７から定期的に位置情報を受信し、設置場所の情報を更新する。
【００４４】
画像処理部５３は、玄関子機２のカメラ２６で撮影された映像データに対して所定の画像処理を行う。表示部５４は、画像処理部５３から受信した玄関子機２のカメラ２６で撮影された映像や制御部５１により行われた認証結果を表示する。
【００４５】
制御部５１は、画像処理部５３から受信した玄関子機２のカメラ２６で撮影された映像データの情報と、記憶部５２に登録されている認証用情報とを照合し、認証を行う。例えば、制御部５１は、画像処理部５３から受信した玄関子機２のカメラ２６で撮影された映像データの顔画像情報と、記憶部５２に登録されている顔画像情報とを照合し、顔認証を行う。制御部５１は、認証が成立した場合には、その認証結果を含む通知信号を、来訪者に関連する施設利用者に関連付けられた通知装置へ送信する。来訪者に関連する施設利用者に関連付けられた通知装置とは、例えば、来訪者に関連する施設利用者が通常利用する場所に位置する通知装置や、現在の位置の近傍に位置する通知装置である。また、制御部５１は、認証が成立した場合に、Ｉ／Ｆ回路５５を介して電気錠４に解除信号を送信してもよい。
【００４６】
制御部５１には、Ｉ／Ｆ回路５５が接続されており、制御部５１は、Ｉ／Ｆ回路５５を介して玄関子機２および通知装置（居室親機３、通知モニター６、情報端末７）との間でデータ（例えば、映像データ、通知信号）の送受信を行う。また、上述のように、制御部５１は、Ｉ／Ｆ回路５５を介して電気錠４に解除信号を送信してもよい。
【００４７】
次に、図９を用いて、来訪者が訪れた場合のインターホンシステム１の動作の一例を説明する。
ステップＳ１において、玄関子機２の操作部２２が来訪者により操作される（呼出ボタン２２が押下される）、または、玄関子機２の前方にいる人物が人感センサ２５により感知されると（ステップＳ１のＹｅｓ）、操作部２２または人感センサ２５から入力信号がカメラ２６へ出力される。入力信号を受信した玄関子機２のカメラ２６は、カメラ２６の前方領域にいる来訪者を撮影し（ステップＳ２）、制御部２１は、カメラ２６により撮影された来訪者の映像データを管理用制御装置５へ送信する（ステップＳ３）。
【００４８】
管理用制御装置５の制御部５１は、受信した来訪者の映像データの認証を行う（ステップＳ４）。例えば、制御部５１は、受信した来訪者の映像データに含まれる顔画像情報と記憶部５２の来訪者情報テーブル５６に登録された顔画像情報との照合を行う。制御部５１は、認証が成立した場合（ステップＳ５のＹｅｓ）、記憶部５２の施設利用者情報テーブル５７および通知装置情報テーブル５８を参照して、来訪者に関連する施設利用者に関連付けられた通知装置に、認証結果を含む通知信号を送信する（ステップＳ６）。例えば、図1において、来訪者に関連する施設利用者が施設内の部屋Ａにいる場合には、制御部５１は、部屋Ａ内に位置する通知装置（居室親機３−Ａおよび情報端末７−Ａ）に、通知信号を送信する。あるいは、来訪者に関連する施設利用者が部屋Ｂを通常利用する場合には、制御部５１は、部屋Ｂ内に位置する通知装置（通知モニター６、居室親機３−Ｂおよび情報端末７−Ｂ）に通知信号を送信してもよい。さらに、制御部５１は、部屋Ａおよび部屋Ｂに位置する通知装置に通知信号を送信してもよい。なお、認証が成立した場合の認証結果には、認証の成立情報の他に、来訪者情報の少なくとも一部の情報（例えば、来訪者氏名、関連する施設利用者氏名や登録された顔画像情報）が含まれる。さらに認証結果には玄関子機２により撮影された映像データが含まれてもよい。
【００４９】
通知信号を受信した通知装置は、所定の通知動作を行う（ステップＳ７）。例えば、通知装置の表示部に来訪者情報や玄関子機２により撮影された映像データを表示する。さらに、通知装置がスピーカーを有している場合（例えば、居室親機３や情報端末７）、スピーカーから呼出音を出力してもよい。
【００５０】
所定の通知動作を行った通知装置（例えば、居室親機３や通知モニター６）の付近にいる施設内職員または所定の通知動作を行った通知装置（例えば、情報端末７）を所持する施設内職員は、通知装置を操作して通知動作に対する応答操作を行う（ステップＳ１０）。例えば、通知装置の操作部や操作画像の操作により電気錠４の解錠を行う。また、通知装置が居室親機３や情報端末７であれば、マイクおよびスピーカーを介して来訪者と通話してもよい。
【００５１】
一方、ステップＳ５において、認証が成立しない場合（ステップＳ５のＮｏ）、制御部５１は、施設建物内のすべての通知装置に、認証結果を含む呼出信号を送信する（ステップＳ８）。なお、認証が成立しない場合の認証結果には、認証の不成立情報の他に、玄関子機２により撮影された映像データが含まれる。呼出信号を受信した通知装置は、所定の呼出動作を行う（ステップＳ９）。例えば、通知装置の表示部３５に玄関子機２により撮影された映像データを表示すると共に、スピーカーから呼出音やアラームを出力する。施設内職員は、通知装置を操作して呼出動作に対する応答操作を行う（ステップＳ１１）。例えば、通知装置の表示部に表示されている来訪者の映像を確認しながらマイクおよびスピーカーを介して来訪者と通話する。  
【００５２】
なお、ステップＳ５において認証が成立した場合（ステップＳ５のＹｅｓ）、施設内職員は、通知装置を操作して通知動作（ステップＳ７）に対する応答操作（ステップＳ１０）を行っているが、これに限定されない。例えば、認証が成立した場合、管理用制御装置５は、電気錠４に解錠信号を送信し、電気錠４を自動に解錠する構成とし、施設内職員は応答操作を行わない構成としてもよい。
【００５３】
また、ステップＳ５において、管理用制御装置５の制御部５１は、認証が成立した場合（ステップＳ５のＹｅｓ）、来訪者の来訪情報（例えば、来訪時間、滞在時間、退出時間など）を記憶部５２に記録してもよい。そして、制御部５１は、所定間隔ごと（例えば、数時間ごと、あるいは、一日単位ごと）に、来訪者情報（例えば、来訪者氏名、登録された顔画像情報）や施設内利用者情報（例えば、施設内利用者氏名、現在の位置など）と共に来訪情報を表示部５３に一覧表示してもよい。また、制御部５１は、これらの情報を通知装置に送信し、通知装置の表示部で一覧表示してもよい。これにより、施設内職員は、すべての施設内利用者情報および来訪者の来訪情報や来訪者情報を一括で確認・管理することができる。
【００５４】
（第２実施形態）
図１０は、第２実施形態に係るインターホンシステム１００の構成を示す図である。第２実施形態では、第１実施形態と同一要素及び同様な工程については、その詳しい説明を省略する。第２実施形態では、外部カメラ８、複数の室内カメラ９−Ａ、９−Ｂおよび複数のスピーカー１０−Ａ、１０−Ｂがさらに設置されている点が、第１実施形態とは異なる。
【００５５】
図１０に示すように、インターホンシステム１００は、玄関子機２と、複数の居室親機３−Ａ，３−Ｂ(通知装置の一例）と、電気錠４と、管理用制御装置５（認証装置の一例）と、通知モニター６(通知装置の一例）と、複数の情報端末７−Ａ、７−Ｂ(通知装置の一例）と、外部カメラ８と、複数の室内カメラ９−Ａ、９−Ｂと、複数のスピーカー１０−Ａ、１０−Ｂ(通知装置の一例）とを備えている。
【００５６】
外部カメラ８は、例えば、施設建物の外の駐車場（例えば、来訪者が利用可能な駐車場）に設置され、撮影した駐車場の映像データを管理用制御装置５へ送信する。室内カメラ９−Ａ、９−Ｂ（以下、室内カメラ９と称する）は、例えば、施設建物内の施設利用者が共通に利用する部屋Ａ，Ｂにそれぞれ設置されている。室内カメラ９は、設置された部屋を撮影し、その映像データを管理用制御装置５へ送信する。室内カメラ９の設置場所は、管理用制御装置５の記憶部５２に記憶されている。複数のスピーカー１０−Ａ、１０−Ｂ（以下、スピーカー１０と称する）は、例えば、施設建物の施設利用者が共通に利用する部屋Ａ，Ｂの天井や壁にそれぞれ設置され、音声データを放送するために用いられる。
【００５７】
複数の室内カメラ９および複数のスピーカー１０はそれぞれ、信号線Ｌ（例えば、ＬＡＮケーブル）を介して、玄関子機２、複数の居室親機３、電気錠４、管理用制御装置５に通信可能に接続されている。なお、無線通信により通信可能に接続されてもよい。外部カメラ８は、例えば、上述の信号線Ｌを介して、あるいは、無線通信により管理用制御装置５に通信可能に接続されている。
【００５８】
外部カメラ８は、認証用の来訪者の映像データとして来訪者の車両ナンバーの映像データを取得する手段として機能する。管理用制御装置５は、外部カメラ８により撮影された車両ナンバーの映像データを用いて来訪者の認証を行う。
【００５９】
管理用制御装置５は、施設建物外の駐車場に設置された外部カメラ８から駐車場の映像データを受信すると、画像処理部５３において、受信した映像データの中から、新たに駐車した車両のナンバープレート画像を抽出し、抽出した車両のナンバープレート画像から車両ナンバーデータを取得する。制御部５１は、取得した車両ナンバーデータを、記憶部５２の来訪者情報テーブル５６に予め登録されている来訪者の車両ナンバーデータ（図１１参照）と照合する。認証が成立した場合には、制御部５１は、施設利用者情報テーブル５７および通知装置情報テーブル５８を参照して、来訪者に関連する施設利用者に関連付けられた通知装置に認証結果を含む通知信号を送信する。認証が成立した場合の認証結果には、認証の成立情報の他に、来訪者情報の少なくとも一部の情報（例えば、来訪者氏名、関連する施設利用者氏名や登録された顔画像情報）が含まれる。さらに認証結果には外部カメラ８により撮影された映像データが含まれてもよい。
【００６０】
通知信号を受信した通知装置は、所定の通知動作を行う。例えば、通知装置の表示部に来訪者情報や外部カメラ８により撮影された映像データを表示する。さらに、通知装置がスピーカーを有している場合（例えば、居室親機３や情報端末７）、スピーカーから呼出音を出力してもよい。また、通知装置がスピーカー１０の場合、来訪者氏名、関連する施設利用者氏名等を含む情報の音声データが出力される。
【００６１】
複数の室内カメラ９は、施設内利用者の様子を遠隔から確認するための撮影手段として機能する。管理用制御装置５は、室内カメラ９で撮影された施設内利用者の映像を予め登録してある関係者の情報端末（スマートフォン、タブレットコンピュータ、およびその他の携帯情報端末）へ送信する。
【００６２】
管理用制御装置５の記憶部５２に記憶された施設内利用者情報テーブル５７（図１２参照）には、施設内利用者の映像を遠隔から確認することを希望する関係者情報、例えば、関係者氏名および該関係者の情報端末情報（例えば、スマートフォンの電話番号等）が予め登録されている。管理用制御装置５の制御部５１は、施設内利用者情報テーブル５７を参照し、関係者情報が含まれている場合には、その施設内利用者のいる場所の付近に設置された室内カメラ９で撮影された映像データを、所定の間隔で、登録された関係者の情報端末へ送信する。なお、制御部５１は、所定の間隔で送信せずに、登録された関係者の情報端末からの要求信号を受信した場合に、室内カメラ９で撮影された施設利用者の映像データを送信してもよい。
【００６３】
複数のスピーカー１０は、通知装置の一例として動作する。管理用制御装置５の制御部５１は、玄関子機２のカメラ２６が撮影した来訪者の映像データを受信すると、受信した来訪者の映像データの認証を行う。認証が成立した場合には、制御部５１は、施設利用者情報テーブル５７および通知装置情報テーブル５８を参照して、来訪者に関連する施設利用者に関連付けられた通知装置に認証結果を含む通知信号を送信する。例えば、制御部５１は、来訪者に関連する施設利用者の現在の位置の近傍に設置されたスピーカー１０に通知信号を送信する。認証結果には、来訪者情報の少なくとも一部（例えば、来訪者氏名、関連する施設利用者氏名など）が含まれており、通知信号を受信したスピーカー１０は、来訪者氏名、関連する施設利用者氏名等を含む情報の音声データを出力する。
【００６４】
以上説明したように、第１，第２実施形態に係るインターホンシステム１，１００は、施設の出入口に設置され、来訪者を撮影するカメラ２７を備えた玄関子機２と、施設内に位置し、玄関子機と通信可能に構成された複数の通知装置（居室親機３、通知モニター６、情報端末７、スピーカー１０）と、玄関子機２および複数の通知装置と通信可能に構成され、玄関子機２のカメラ２７にて撮影された来訪者の映像データの認証を行う管理用制御装置５と、を備える。管理用制御装置５は、施設利用者に関連する来訪者情報（来訪者情報テーブル５３）を記憶する記憶部５２を有し、記憶部５２に記憶された来訪者情報に基づいて映像データの認証を行い、認証が成功した場合には、複数の通知装置のうち来訪者に関連する施設利用者に関連付けられた通知装置にのみ認証結果を通知する。このように、施設内職員は、来訪者に関連する施設利用者に関連付けられた通知装置にて認証結果を確認する。
【００６５】
このため、全ての通知装置に認証結果が通知されて何れかの施設内職員が何れかの通知装置において認証結果を確認する場合と比べて、来訪者に関連した適切な通知装置により認証結果を確認して対応することができるので、セキュリティの利便性が向上する。
【００６６】
なお、本発明は、上述した実施形態に限定されず、適宜、変形、改良等が自在である。その他、上述した実施形態における各構成要素の材質、形状、寸法、数値、形態、数、配置場所等は、本発明を達成できるものであれば任意であり、限定されない。
【００６７】
上記の実施形態では、施設利用者に関連付けられた通知装置に通知信号が送信されるが、これに限定されない。例えば、同一の部屋に複数の通知装置が配置されている場合には、いずれか１つあるいは一部の通知装置のみに通知するものとしてもよい。これにより、複数の通知装置が一斉に呼び出し動作することによる煩わしさを防止することができる。
【００６８】
また、上記の実施形態では、施設利用者に関連付けられた通知装置としての居室親機は、呼出操作に対する応答機能を有しているが、これに限定されない。例えば、居室親機は、応答機能を持たず、来訪者の映像を表示するモニター機能のみを有してもよい。
【００６９】
また、上記の実施形態では、認証を行うために管理用制御装置を別途設けているが、これに限定されない。例えば、管理用制御装置の認証機能は、複数の居室親機の何れか一つが有する構成としてもよい。これにより、認証用に管理用制御装置を別途設ける必要がなく、システム全体のコストの削減を図ることができる。
【００７０】
また、上記の実施形態では、管理用制御装置は、顔画像情報に基づいて顔認証を行っているが、これに限定されない。例えば、虹彩認証、または、指静脈パターン認証を行ってもよい。また、認証は、玄関子機のカメラで撮影された映像に基づいて行っているが、これに限られない。例えば、玄関子機はセンサ（光学式、静電容量方式、感熱式、等）を有し、来訪者がセンサに触れることにより認証用データ（例えば、指紋データ）が作成され、認証用データに基づいて認証（指紋認証）が行われてもよい。これにより、インターホンシステムの利用者が、施設に適したセキュリティの種類およびシステム構成を選択することができる。
【符号の説明】
【００７１】
１、１００：インターホンシステム、２：玄関子機、３、３−Ａ、３−Ｂ：居室親機、４：電気錠、５：管理用制御装置、６：通知モニター、７、７−Ａ、７−Ｂ：情報端末、８：外部カメラ、９−Ａ，９−Ｂ：室内カメラ、１０−Ａ，１０−Ｂ：スピーカー、Ａ，Ｂ：部屋
【図１】
2019186697.tif 000003
【図２】
2019186697.tif 000004
【図３】
2019186697.tif 000005
【図４】
2019186697.tif 000006
【図５】
2019186697.tif 000007
【図６】
2019186697.tif 000008
【図７】
2019186697.tif 000009
【図８】
2019186697.tif 000010
【図９】
2019186697.tif 000011
【図１０】
2019186697.tif 000012
【図１１】
2019186697.tif 000013
【図１２】
2019186697.tif 000014